(57)【要約】【課題】導電性ばね部材が導電性板部材との接点を確実に形成できること。【解決手段】本発明の携帯端末は、ホイップアンテナと、前記ホイップアンテナを挿通する挿通穴を形成した筐体と、前記筐体内に設けられたプリント基板と、前記ホイップアンテナと前記筐体内で当接する導電性板部材と、前記プリント基板と前記導電性板部材との間に配置される導電性ばね部材と、を備え、前記ホイップアンテナは、前記筐体内部で摺動可能な摺動部と、前記摺動部を摺動可能に保持する保持部とを有し、前記導電性板部材は、前記筐体内で前記ホイップアンテナと前記導電性ばね部材との間に位置し、前記導電性ばね部材が押し当てられる第１の面とは筐体厚み方向において反対側に位置する第２の面で前記ホイップアンテナに押し当てられることを特徴とする。【選択図】図３
2011061549.tif 000002
【特許請求の範囲】
【請求項１】
ホイップアンテナと、
前記ホイップアンテナを挿通する挿通穴を形成した筐体と、
前記筐体内に設けられたプリント基板と、
前記ホイップアンテナと前記筐体内で当接する導電性板部材と、
前記プリント基板と前記導電性板部材との間に配置される導電性ばね部材と、を備え、
前記ホイップアンテナは、前記筐体内部で摺動可能な摺動部と、前記摺動部を摺動可能に保持する保持部とを有し、
前記導電性板部材は、前記筐体内で前記ホイップアンテナと前記導電性ばね部材との間に位置し、前記導電性ばね部材が押し当てられる第１の面とは筐体厚み方向において反対側に位置する第２の面で前記ホイップアンテナに押し当てられることを特徴とする携帯端末。
【請求項２】
請求項１に記載の携帯端末は、更に
前記筐体内で前記ホイップアンテナの保持部を間で挟むように、前記摺動部の摺動方向に沿って設けられた一対の第１リブを備え、
前記一対の第１リブは、前記導電性板部材と対向する面の一部が前記導電性板部材の前記第２の面と接することで、導電性板部材を支持することを特徴とする携帯端末。
【請求項３】
請求項２に記載の携帯端末は、更に
前記ホイップアンテナを挟んで前記導電性ばね部材とは反対側で前記一対の第１リブの間に設けられ、前記摺動部の摺動方向に沿って延びる前記保持部を支持する第２リブを備える携帯端末。
【発明の詳細な説明】
【技術分野】
【０００１】
本発明は、ホイップアンテナを備える携帯端末に関する。
【背景技術】
【０００２】
従来例として、特許文献１に開示されているアンテナ装置では、アンテナを保持しケースに固定されるホルダー、及びこのホルダーに係合される給電ばねを介して、アンテナへの給電路を形成している。給電ばねは、ホルダーを巻き込むようにして跨座して係合されているので、給電ばねの抜け／回転を防止することができる。そのため、アンテナへの給電路を確実に確保できる。
【先行技術文献】
【特許文献】
【０００３】
【特許文献１】特開２０００−１５１２３６号公報
【発明の概要】
【発明が解決しようとする課題】
【０００４】
しかし、上述した特許文献１では、給電ばねがホルダーと接点を有する範囲は、ケースに固定されたホルダーの一部に限定されており、給電ばねのホルダーとの接点を有する範囲を十分に確保できていない。
【０００５】
本発明の目的は、導電性ばね部材が導電性板部材との接点を確実に形成できる携帯端末を提供することである。
【課題を解決するための手段】
【０００６】
本発明は、携帯端末であって、ホイップアンテナと、前記ホイップアンテナを挿通する挿通穴を形成した筐体と、前記筐体内に設けられたプリント基板と、前記ホイップアンテナと前記筐体内で当接する導電性板部材と、前記プリント基板と前記導電性板部材との間に配置される導電性ばね部材と、を備え、前記ホイップアンテナは、前記筐体内部で摺動可能な摺動部と、前記摺動部を摺動可能に保持する保持部とを有し、前記導電性板部材は、前記筐体内で前記ホイップアンテナと前記導電性ばね部材との間に位置し、前記導電性ばね部材が押し当てられる第１の面とは筐体厚み方向において反対側に位置する第２の面で前記ホイップアンテナに押し当てられることを特徴とする携帯端末を提供する。
上記構成によれば、導電性ばね部材が導電性板部材との接点を確実に形成できる。
【０００７】
上記携帯端末は、更に、前記筐体内で前記ホイップアンテナの保持部を間で挟むように、前記摺動部の摺動方向に沿って設けられた一対の第１リブを備え、前記一対の第１リブは、前記導電性板部材と対向する面の一部が前記導電性板部材の前記第２の面と接することで、導電性板部材を支持することを特徴とする。
上記構成によれば、導電性板部材は一対の第１リブで確実に固定されるので、導電性ばね部材が導電性板部材との接点をより確実に形成できる。
【０００８】
上記携帯端末は、更に、前記ホイップアンテナを挟んで前記導電性ばね部材とは反対側で前記一対の第１リブの間に設けられ、前記摺動部の摺動方向に沿って延びる前記保持部を支持する第２リブを備える。
上記構成によれば、第２リブにより、アンテナが容易に位置決めされ、導電性板部材がアンテナと確実に接触することができる。
【発明の効果】
【０００９】
本発明に係る携帯端末によれば、導電性ばね部材が導電性板部材との接点を確実に形成できる。
【図面の簡単な説明】
【００１０】
【図１】本実施の形態に係る携帯電話機１０の斜視図
【図２】携帯電話機１０のアンテナ給電路を構成する部品を説明するための図
【図３】携帯電話機１０のアンテナ装着部分を示す図
【図４】携帯電話機１０のアンテナ給電路を構成する部品の位置関係を説明するための図（１）
【図５】携帯電話機１０のアンテナ給電路を構成する部品の位置関係を説明するための図（２）
【図６】アンテナ収容時の携帯電話機１０のアンテナ装着部分の断面を示す図
【図７】アンテナ引き出し時の携帯電話機１０のアンテナ装着部分の断面を示す図
【図８】防水アンテナ２０Ａの斜視図
【発明を実施するための形態】
【００１１】
以下、本発明の実施の形態について、図面を参照して説明する。なお、各図中に示すＸ軸、Ｙ軸、及びＺ軸は、互いに垂直な直交座標を示す軸であり、各図の同じ軸はすべて同じ方向を示す。
【００１２】
（実施の形態）
図１を参照して、本実施の形態に係る携帯電話機１０の構成について説明する。図１は、本実施の形態に係る携帯電話機１０の斜視図である。図１に示すように、本実施の形態の携帯電話機１０は、大略構成として、略箱状の上筐体１１（第２筐体）と、略箱状の下筐体１２（第１筐体）と、上下の筐体１１、１２を開閉可能に連結する連結部１４と、を備える。連結部１４の回動動作により、携帯電話機１０は、軸心ａを中心に矢印Ａ方向（第１回動方向）に開閉可能に連結されている。
【００１３】
携帯時には、携帯電話機１０を構成する上筐体１１と下筐体１２とが互いに重なった重畳状態（閉じた状態または閉状態）で用いられる。例えば、通話時、文字や数字、電話番号を入力する場合、携帯電話機１０が閉状態から、下筐体１２に対して上筐体１１を軸心ａを中心に矢印Ａ方向（または第１回動方向）に回動させた第１の開いた状態（第１開状態または縦開きの状態）で用いられる。
【００１４】
上筐体１１は、表示部１３と、レシーバ１５と、スピーカ１８と、を備える。上筐体１１の主面１１Ａ側には表示部１３が設けられている。
【００１５】
連結部１４は、上筐体１１と下筐体１２とを回動可能に連結するものである。
【００１６】
下筐体１２は、送話部（マイクロフォン）１６と、操作部１７と、を備える。マイクロフォン１６は、下筐体１２の主面１２Ａにあって携帯電話機１０が閉状態のときに上筐体１１が対向して覆われ、携帯電話機１０が第１開状態のときに露出するように設けられている。通話時は、使用者の音声を通信相手に送話する。
【００１７】
また、下筐体１２は、下筐体本体１２Ｄと、下筐体本体１２Ｄを筐体厚み方向から覆う下筐体カバー１２Ｅとから構成される。なお、下筐体１２の内部には、上筐体１１及び下筐体１２の各部を制御する電子部品などを実装するプリント基板６０が設けられる。
【００１８】
操作部１７は、下筐体１２の主面１２Ａに配置されている。電話番号や文字を入力するために、数字や文字、記号が印刷されている。受話や終話、レシーバ１５やスピーカ１８から出力される音量の調節、マナーモードへの切替え、メニュー画面における選択と確定などができる複数の操作ボタンなどからなる。
【００１９】
下筐体１２の長手方向（図中、Ｘ軸方向）の一側面には、連結部１４の近傍から、下筐体１２の短手方向（図中、Ｙ軸方向）に沿って延び、さらに下筐体１２の長手方向（図中、Ｘ軸方向）に沿って延びるホイップアンテナ２０（以下、アンテナ２０と称す）が設けられている。後述する下筐体１２内に設けられたプリント基板６０から所定の給電路を介して給電される。
【００２０】
次に、図２及び図３を参照して、プリント基板６０からアンテナ２０への給電路を形成する構成について説明する。図２は、携帯電話機１０のアンテナ２０への給電路を構成する部材を説明するための図であり、図３は、携帯電話機１０のアンテナ装着部分を示す図である。図２に示すように、携帯電話機１０のプリント基板６０からアンテナ２０への給電路を構成する部材は、板金３０(導電性板部材に相当)と、プローブピン４０（導電性ばね部材に相当）である。
【００２１】
図２に示すように、プリント基板６０の連結部１４近傍の端部には、プローブピン４０が、筐体厚み方向（図中Ｚ軸方向）に沿って、下筐体本体１２Ｄに向けて設けられている。
【００２２】
プローブピン４０は、内部に設けられた付勢部材の付勢力により、筐体厚み方向（図中Ｚ軸方向）に沿って下方に位置する板金３０に押し当てられる。また、板金３０は、プローブピン４０の付勢力により、下筐体本体１２Ｄに収容されるアンテナ２０の一部に押し当てられる。
【００２３】
アンテナ２０は、下筐体本体１２Ｄの連結部１４近傍の端部に収容される。
【００２４】
図３に示すように、アンテナ２０は、取り付け板７０から筐体短手方向（図中、Ｙ軸方向）に沿って延びるアンテナ基部２４と、アンテナ基部２４から筐体長手方向（図中、Ｘ軸方向）に沿って延びるアンテナ本体部２３と、筐体長手方向（図中、Ｘ軸方向）に沿って延び、取り付け板７０に対してアンテナ基部２４とは反対側で、取り付け板７０から筐体短手方向（図中、Ｙ軸方向）に沿って筐体内に延びる円筒状のアンテナ保持部２２と、アンテナ保持部２２内でアンテナ基部２４と連続し、アンテナ保持部２２内を筐体短手方向（図中、Ｙ軸方向）に沿って摺動可能な摺動部２１と、を有する。
【００２５】
取り付け板７０には、アンテナ基部２４及びアンテナ保持部２２の取り付け位置と隣接して、ねじ穴部７０Ａが設けられている。ねじ穴部７０Ａとフロントリブ５４のねじ穴部５４Ｂとは、ねじでねじ止めされる。そのため、取り付け板７０は、フロントリブ５４に固定される。また、アンテナ保持部２２が取り付けられている部分には、アンテナ保持部２２の周囲に沿ってＯリング７１が設けられている。
【００２６】
アンテナ基部２４は、取り付け板７０から、筐体短手方向（図中、Ｙ軸方向）に沿って筐体外部に向けて延びている。アンテナ基部２４は、軸心ｂを中心に図中矢印Ｂの方向にアンテナ本体部２３を回転可能保持する。アンテナ基部２４には、アンテナ本体部２３が延出する部分に太径部２４Ａが設けられており、アンテナ基部２４及びアンテナ本体部２３が、第２収容部５３に収容される場合、太径部２４Ａが取り付け板７０に接触することで、それ以上アンテナ２０が筐体内へ入り込まないようになっている。
【００２７】
アンテナ本体部２３は、アンテナ基部２４から筐体長手方向（図中、Ｘ軸方向）に沿って所定の距離延出している。アンテナ本体部２３は、アンテナ基部２４に対して、軸心ｂを中心に図中矢印Ｂの方向に回転する。
【００２８】
アンテナ本体部２３及びアンテナ基部２４は、下筐体本体１２Ｄに設けられた第２収容部５３に収容される。必要に応じて、第２収容部５３からアンテナ本体部２３及びアンテナ基部２４が筐体外部に向けて引き出され、アンテナ本体部２３を軸心ｂを中心に矢印Ｂの方向に回転させることができる。
【００２９】
円筒状のアンテナ保持部２２は、摺動部２１とともに、フロントリブ５４の開口５４Ａに挿入され、後述する下筐体本体１２Ｄの第１収容部５５に収容される。また、アンテナ保持部２２は、後述する収容部５５内の下筐体本体１２Ｄの底面に設けられたロアリブ５２により筐体厚み方向（図中Ｚ軸方向）に沿って下方から支持される。
【００３０】
摺動部２１は、アンテナ保持部２２の円筒内を筐体短手方向（図中、Ｙ軸方向）に沿って摺動可能である。摺動部２１の摺動動作により、摺動部２１と連続するアンテナ基部２４も、摺動部２１と共に筐体短手方向（図中、Ｙ軸方向）に沿って摺動する。そのため、アンテナ基部２４及びアンテナ本体部２３は、下筐体本体１２Ｄの第２収容部５３から引き出されると筐体外部に露出し、外部に露出したアンテナ基部２４及びアンテナ本体部２３を第２収容部５３に引き込むと、下筐体本体１２Ｄの収容部５３に収容することができる。
【００３１】
また、摺動部２１の先端には、摺動部２１の直径よりもわずかに大きい径を有する太径部２１Ａが設けられており、アンテナ基部２４及びアンテナ本体部２３が、下筐体本体１２Ｄの第２収容部５３から引き出される場合、大径部２１Ａがアンテナ保持部２２と接触することで、それ以上アンテナ２０が引き出されないよう構成されている。
【００３２】
図３に示すように、下筐体本体１２Ｄの連結部１４近傍の端部には、アンテナ２０を収容する第１収容部５５及び第２収容部５３が設けられている。第１収容部５５は、下筐体本体１２Ｄの底面から筐体厚み方向（図中、Ｚ軸方向）に沿って上方へ立ち上がるフロントリブ５４と、一対のサイドリブ５１Ａ、５１Ｂと、リアリブ５６とによって四方を囲まれている。第１収容部５５には、アンテナ２０の摺動部２１及び保持部２２が収容される。
【００３３】
図３に示すように、第１収容部５５の底面には、当該底面から筐体厚み方向（図中、Ｚ軸方向）に沿って上方へ立ち上がり、フロントリブ５４の開口５４Ａの下方からフロントリブ５４と連続し、筐体短手方向（図中、Ｙ軸方向）に沿って所定の距離延出するロアリブ５２が設けられている。ロアリブ５２の上面５２Ａは、アンテナ２０の保持部２２の円筒形状に沿った曲面を有する。そのため、ロアリブ５２は、上面５２Ａでアンテナ２０の保持部２２と接し、アンテナ２０の保持部２２を支持する。
【００３４】
図３に示すように、フロントリブ５４は、下筐体本体１２Ｄの底面から筐体厚み方向（図中、Ｚ軸方向）に沿って上方へ立ち上がる板状の部材である。フロントリブ５４は、下筐体本体１２Ｄと一体成形される。また、フロントリブ５４は、アンテナ２０の摺動部２１及び保持部２２を挿通するための開口５４Ａと、筐体長手方向（図中、Ｘ軸方向）に沿って開口５４Ａに隣接するねじ穴部５４Ｂとを有する。なお、ねじ穴部５４Ｂには、取り付け板７０に設けられたねじ穴７０Ａに挿入されたねじでねじ止めされ、アンテナ２０を下筐体本体１２Ｄに固定する。
【００３５】
図３に示すように、一対のサイドリブ５１Ａ、５１Ｂのうち、一方のサイドリブ５１Ａは、フロントリブ５４の一端からわずかに離れたところから、筐体短手方向（図中、Ｙ軸方向）に沿って、リアリブ５６の一端まで延びている。他方のサイドリブ５１Ｂは、フロントリブ５４の開口５４Ａとねじ穴部５４Ｂとの間からわずかに離れたところから、筐体短手方向（図中、Ｙ軸方向）に沿って、リアリブ５６の他端まで延びている。一対のサイドリブ５１Ａ、５１Ｂが板金３０と対向する上面５８Ａ、５８Ｂは、後述する板金３０を設置するために平坦な面となっている。
【００３６】
リアリブ５６は、筐体長手方向（図中、Ｘ軸方向）に沿って延び、その両端は一対のサイドリブ５１Ａ、５１Ｂの端部と連続する。上述のように、第１収容部５５は、開口５４Ａが設けられているフロントリブ５４の一部と、一対のサイドリブ５１Ａ、５１Ｂと、リアリブ５６とによって形成され、その内部にアンテナ２０の保持部２２及び摺動部２１を収容する。
【００３７】
図３に示すように、板金３０は、筐体厚み方向（図中、Ｚ軸方向）に沿って上方から、一対のサイドリブ５１Ａ、５１Ｂの上面５８Ａ、５８Ｂに設置される。板金３０は、断面が略コの字状となるように、板状の金属部材の対向する側部を折り曲げ加工して形成されている。さらに、折り曲げ加工の際、板金３０の一部を切り欠くことで、幅狭部３１と、幅狭部３１と切り欠き部３２を介して連続する幅広部３３とを形成する。
【００３８】
幅狭部３１は、幅Ｗ１の平坦部３１Ａと、平坦部３１Ａと連続し筐体厚み方向（図中、Ｚ軸方向）に沿って下方に延びる一対の側面部３１Ｂから構成される。幅狭部３１は、開口５４Ａから挿通されたアンテナ２０の摺動部２１及び保持部２２を、第１収容部５５内で、筐体厚み方向（図中、Ｚ軸方向）に沿って上方から覆う。平坦部３１Ａは、筐体厚み方向（図中、Ｚ軸方向）に沿って対向する面は平坦である。
【００３９】
同様に、幅広部３３は、幅Ｗ２（＞幅Ｗ１）の平坦部３３Ａと、平坦部３３Ａと連続し筐体厚み方向（図中、Ｚ軸方向）に沿って下方に延びる一対の側面３３Ｂから構成される。詳細は後述するが、幅広部３３は、幅狭部３１とは異なり、第１収容部５５の外側から、一対のサイドリブ５１Ａ、５１Ｂを覆う。
【００４０】
図３に示すように、プローブピン４０は、板金３０の幅狭部３１の平坦部３１Ａ又は幅広部３３の平坦部３３Ａと対向する位置で、プリント基板６０に設けられている。また、プローブピン４０は、内部に設けられた付勢手段により、その先端４１が板金３０の幅狭部３１の上面３１又は幅広部３３の平坦部３３Ａに押しあてられる。そのため、プローブピン４０は、板金３０と電気的に接続する。さらに、プローブピン４０は、幅狭部３１で保持部２２に押し当てられている板金３０を介して、アンテナ２０と電気的に接続されている。そのため、プローブピン４０及び板金３０は、プリント基板６０からアンテナ２０への給電路を形成している。
【００４１】
ここで、図４、図５を参照して、第１収容部５５内における、アンテナ２０、板金３０、プローブピン４０、プリント基板６０の位置関係について説明する。図４は、携帯電話機１０のアンテナ給電路を構成する部品の位置関係を説明するための図（１）であり、図５は、携帯電話機１０のアンテナ給電路を構成する部品の位置関係を説明するための図（２）である。
【００４２】
図４は、下筐体本体１２Ｄの第１収容部５５において、アンテナ２０の保持部２２を含む断面を示している。図４に示すように、アンテナ２０の保持部２２は、第１収容部５５内に収容され、筐体厚み方向（図中、Ｚ軸方向）において、下方からロアリブ５２により支持されている。また、保持部２２と接触するロアリブ５２の上面５２Ａがアンテナ２０の保持部２２の円筒形上に沿った曲面を有するため、アンテナ２０の保持部２２は、組み立て時に、第１収容部５５内で容易に位置決めすることができる。
【００４３】
また、図４に示すように、第１収容部５５内において、アンテナ２０の保持部２２には、側方から一対の側面部３１Ｂが当接し、上方から平坦部３１Ａが押し当てられている。そのため、アンテナ２０の保持部２２は、板金３０により確実に保持される。したがって、アンテナ２０の保持部２２は、板金３０と確実に接触できる。また、組み立て時に板金３０が傾いて正規の位置からずれても、保持部２２は、側面部３１Ｂ、平坦部３１Ａのいずれかで板金３０と接触することができる。さらに、板金３０は、側方から一対のサイドリブ５１Ａ、５１Ｂによって支持されているので、板金３０を第１収容部５５内で容易に位置決めすることができる。
【００４４】
図５は、下筐体本体１２Ｄの第１収容部５５において、アンテナ収容時にアンテナ２０の摺動部２１を含む断面を示している。図５に示すように、第１収容部５５内において、アンテナ２０の摺動部２１は、アンテナ収容時、筐体厚み方向（図中、Ｚ軸方向）において、板金３０の幅広部３３の下方に位置し、板金３０と接していない。
【００４５】
また、板金３０の平坦部３３Ａの板金３０と対向する面は平坦であるので、板金３０は、一対のサイドリブ５１Ａ、５１Ｂの平らな上面５８Ａ、５８Ｂに設置することができる。また、板金３０の一対の側面３３Ｂは、第１収容部５５の外部から一対のサイドリブ５１Ａ、５１Ｂを覆うように把持している。そのため、板金３０は、幅広部３３でサイドリブ５１Ａ、５１Ｂに確実に固定される。したがって、板金３０は、プローブピン４０の先端４１が確実に押しあてられ、板金３０は、幅狭部３１又は幅広部３３でプローブピン４０と接触することができる。
【００４６】
次に、図６、図７を参照して、アンテナ収容時とアンテナ引き出時のアンテナ給電路について説明する。図６は、アンテナ収容時の携帯電話機１０のアンテナ装着部分の断面を示す図であり、図７は、アンテナ引き出し時の携帯電話機１０のアンテナ装着部分の部分を示す図である。
【００４７】
図６に示すように、太径部２４Ａを除くアンテナ基部２４はアンテナ保持部２２内に収容されている一方、摺動部２２はアンテナ保持部２２内から第１収容部５５に引き出されている。また、プリント基板６０から筐体厚み方向（図中、Ｚ軸方向）に沿って下方に向けて突出するプローブピン４０は、先端４１で、板金３０の幅狭部３１の平坦部３１Ａに押し当てられている。さらに、板金３０の幅狭部３１の平坦部３１Ａは、筐体厚み方向（図中、Ｚ軸方向）に沿って下方に位置する円筒状の保持部２２と当接している。そのため、アンテナ２０は、プローブピン４０、幅狭部３１、及び保持部２２を介して、プリント基板６０から給電される。
【００４８】
図７に示すように、摺動部２１は保持部２２内に引き込まれる一方、太径部２４Ａを除くアンテナ基部２４は保持部２２内から筐体外部に向けて引き出される。また、プリント基板６０から筐体厚み方向（図中、Ｚ軸方向）に沿って下方に向けて突出するプローブピン４０の先端４１は、プローブピン４０内部に設けられた付勢手段による付勢力により、幅狭部３１の平坦部３１Ａに押し当てられている。さらに、幅狭部３１の平坦部３１Ａは、筐体厚み方向（図中、Ｚ軸方向）に沿って下方に位置する円筒状の保持部２２と当接している。そのため、アンテナ２０は、プローブピン４０、板金３０の幅狭部３１、及び保持部２２を介して、プリント基板６０から給電される。
【００４９】
ここで、図６、図７に示すように、板金３０の幅狭部３１の平坦部３１Ａは、筐体短手方向（図中、Ｙ軸方向）に沿って、幅広部３３の平坦部３３Ａと連続している。そのため、組み立て時に板金３０の位置が正規の位置からずれても、プリント基板６０から突出するプローブピン４０は、幅狭部３１の平坦部３１Ａと連続する幅広部３３の平坦部３３Ａに押し当てられる。つまり、組み立て時に板金３０の位置が正規の位置からずれても、プローブピン４０は、幅狭部３１及び幅広部３３のいずれかの平坦部３１Ａ、３３Ａに押し当てられる。言い換えると、プローブピン４０が押しあてられる板金３０の面を、幅狭部３１の平坦部３１Ａだけでなく、幅広部３３の平坦部３３Ａにまで拡大することができる。
【００５０】
上述のように、本実施の形態に係る携帯電話機１０において、アンテナ２０への給電路の一部となるプローブピン４０が押し当てられる板金３０の面を幅狭部３１の平坦部３１Ａだけでなく、幅広部３３の平坦部３３Ａにまで拡大しているので、プリント基板６０に対して、あらかじめ板金３０を精度よく組み付けておかなくても、プローブピン４０は板金３０と確実に接触する。
【００５１】
また、本実施の形態に係る携帯電話機１０において、アンテナ２０への給電路の一部となる板金３０は、第１収容部５５内でアンテナ２０の保持部２２に側方から一対の側面部３１Ｂが当接し、上方から平坦部３１Ａが押し当てられているので、アンテナ２０に対して、あらかじめ板金３０を精度よく組み付けておかなくても、板金３０は、アンテナ２０と確実に接触する。
【００５２】
さらに、本実施の形態に係る携帯電話機１０は、アンテナ２０への給電路を構成する部品（たとえば、板金３０、プローブピン４０）に高精度や要求をする必要がない。そのため、アンテナ２０への給電路を構成する部品及び携帯電話機１０自体の製造コストの上昇を回避することができる。
【００５３】
（防水アンテナ２０Ａ）
ここで、本実施の形態に係る携帯電話機１０において、アンテナ２０の摺動部２１及びアンテナ基部２４は、保持部２２の筒内を摺動する。そのため、液体（たとえば、水）が、筐体外部から保持部２２の筒内で保持部２２と摺動部２１との間に形成されるわずかな隙間を介して、第１収容部５５にまで侵入し、さらにプリント基板６０にまで到達すると、プリント基板６０に搭載される各種電子部品がショートする可能性がある。
【００５４】
そこで、図８に示すように、プリント基板６０に搭載される各種電子部品を保護するために、第１収容部５５に液体が侵入しないように構成した防水アンテナ２０Ａを、本実施の形態に係る携帯電話機１０において、アンテナ２０の代わりに使用することができる。
【００５５】
図８を参照して、防水アンテナ２０Ａの構成について説明する。図８に示す防水アンテナ２０Ａが図３に示すアンテナ２０と異なる点は、円筒状の保持部２２Ａが摺動部２１を覆う容器状になった点である。それ以外の構成については同じであり、同一の構成には同一符号を付し、その詳細な説明を省略する。
【００５６】
図８に示すように、防水アンテナ２０Ａの円筒の保持部２２Ａは、取り付け板７０から、筐体短手方向（図中、Ｙ軸方向）に沿って、アンテナ収容時に第１収容部５５内に引き込まれる摺動部２１を完全に覆う容器状である。そのため、液体が、筐体外部から、保持部２２Ａの筒内で保持部２２Ａと摺動部２１との間に形成されるわずかな隙間介して、保持部２２Ａの筒内に侵入してきても、保持部２２Ａが容器状であるために、液体は、第１収容部５５まで侵入してこない。そのため、筐体内に設けられたプリント基板６０に搭載される各種電子部品は、液体によってショートせずに保護される。
【００５７】
上述のように、本実施の形態に係る携帯電話機１０において、アンテナ２０の代わりに第１収容部５５に液体が侵入しないように構成した防水アンテナ２０Ａを用いることで、プリント基板６０に搭載される各種電子部品を保護することができる。
【００５８】
また、本実施の形態に係る携帯電話機１０において、アンテナ２０の代わりに第１収容部５５に液体が侵入しないように構成した防水アンテナ２０Ａを用いても、アンテナ２０の場合と同様、アンテナ２０Ａへの給電路の一部となるプローブピン４０と付勢当接する板金３０の面を幅狭部３１の平坦部３１Ａだけでなく、幅広部３３の平坦部３３Ａにまで拡大しているので、プリント基板６０に対して、あらかじめ板金３０を精度よく組み立てておかなくも、プローブピン４０は板金３０との接点を確保することができる。
【００５９】
さらに、本実施の形態に係る携帯電話機１０において、アンテナ２０の代わりに第１収容部５５に液体が侵入しないように構成した防水アンテナ２０Ａを用いても、アンテナ２０の場合と同様、アンテナ２０Ａへの給電路の一部となる板金３０は、第１収容部５５内でアンテナ２０Ａの保持部２２に側方から一対の側面部３１Ｂが当接し、上方から平坦部３１Ａが付勢当接しているので、アンテナ２０に対して、あらかじめ板金３０を精度よく組み立てておかなくても、板金３０は、アンテナ２０との接点を確保することができる。
【００６０】
さらに、また、本実施の形態に係る携帯電話機１０において、アンテナ２０の代わりに第１収容部５５に液体が侵入しないように構成した防水アンテナ２０Ａを用いても、アンテナ２０の場合と同様、アンテナ２０Ａへの給電路を構成する部品（たとえば、板金３０、プローブピン４０）に高精度や要求をせずともよくなる。そのため、アンテナ２０Ａへの給電路を構成する部品及び携帯電話機１０自体の製造コストの上昇を回避することができる。
【００６１】
本発明を詳細にまた特定の実施態様を参照して説明したが、本発明の精神と範囲を逸脱することなく様々な変更や修正を加えることができることは当業者にとって明らかである。
【産業上の利用可能性】
【００６２】
本発明に係る携帯端末は、導電性ばね部材が導電性板部材との接点を確実に形成という効果を有し、携帯電話機等として有用である。
【符号の説明】
【００６３】
１０  携帯電話機
２０  ホイップアンテナ
２１  摺動部
２２  保持部
３０  板金（導電性板部材）
４０  プローブピン（導電性ばね部材）
５１Ａ、５１Ｂ  一対のサイドリブ
５２  ロアリブ
５４Ａ  挿通穴
６０  プリント基板
【図１】
2011061549.tif 000003
【図２】
2011061549.tif 000004
【図３】
2011061549.tif 000005
【図４】
2011061549.tif 000006
【図５】
2011061549.tif 000007
【図６】
2011061549.tif 000008
【図７】
2011061549.tif 000009
【図８】
2011061549.tif 000010